(57)【要約】【課題】衝突エネルギー吸収性能とエアバッグ案内機能とを両立でき、且つ組み立て作業性に優れた車両用パッド部材の取付構造を提供する。【解決手段】車両用パッド部材１０は、エアバッグ５を案内する案内部１１のサイドレール２側の端部からサイドレール２に沿って上方に延設されるフランジ部１２と、フランジ部１２に形成される装着孔１４と、装着孔１４につながり装着孔１４を下方に開口させる開口部１５と、を有し、クリップ３０は、開口部１５を通過してフランジ部１２の下方から装着孔１４に装着されサイドレール２の取付孔３に挿入されるグロメット３１と、グロメット３１のピン孔３７に挿入されグロメット３１を拡径して取付孔３に係合させるピン３２と、を有する。これにより、組み立てが容易で、優れた衝突エネルギー吸収性能及びエアバッグ案内機能を発揮できる。【選択図】図５
2015137072.tif 000002
【特許請求の範囲】
【請求項１】
エアバッグの膨出を下方から案内する案内部を有する車両用パッド部材を、クリップを用いて車両のサイドレールに取り付ける構造であって、
前記車両用パッド部材は、前記案内部の前記サイドレール側の端部から該サイドレールに沿って上方に延設されるフランジ部と、前記フランジ部に形成されて前記クリップが装着される装着孔と、前記装着孔につながり該装着孔を下方に開口させる開口部と、を有し、
前記クリップは、前記開口部を通過して前記フランジ部の下方から前記装着孔に装着されて前記サイドレールに形成された取付孔に挿入されるグロメットと、該グロメットのピン孔に挿入され該グロメットを拡径して前記取付孔に係合させるピンと、を有することを特徴とする車両用パッド部材の取付構造。
【請求項２】
前記グロメットは、座部と、前記座部の一主面から立設されて前記装着孔及び前記取付孔に挿入される係止部と、を有し、
前記座部は、前記グロメットを前記装着孔に装着した状態において、前記一主面が前記フランジ部の車内側の面に当接し、
前記車両用パッド部材は、前記開口部に形成され前記係止部の外径より開口幅が小さい挿通抵抗部と、前記開口部につながり前記座部を前記フランジ部の下方から該フランジ部の車内側へと挿通させる座部挿通部と、を有することを特徴とする請求項１に記載の車両用パッド部材の取付構造。
【請求項３】
前記車両用パッド部材は、前記装着孔に装着された状態の前記グロメットの少なくとも一部分に車内側から当接する当接部を有することを特徴とする請求項１または請求項２に記載の車両用パッド部材の取付構造。
【請求項４】
前記当接部は、前記座部挿通部を構成する周囲面の少なくとも一部分に形成され、前記座部の前記一主面の反対側となる他の主面に当接することを特徴とする請求項３に記載の車両用パッド部材の取付構造。
【請求項５】
前記座部の端面には係止突起が形成され、
前記フランジ部には前記係止突起が挿入される係止受部が形成され、
前記当接部は、前記係止受部に形成され前記係止突起に当接することを特徴とする請求項３または請求項４に記載の車両用パッド部材の取付構造。
【請求項６】
前記グロメットは、前記ピンが仮挿入された状態で、前記装着孔に仮装着され、
その後、前記係止部が前記取付孔に挿入され、前記ピンが押し込まれることにより前記車両用パッド部材が前記サイドレールに固定されることを特徴とする請求項１ないし請求項５の何れか１項に記載の車両用パッド部材の取付構造。
【請求項７】
前記案内部の下方には、該案内部と分離可能に当接して該案内部を下方から支える押さえ部材が設けられることを特徴とする請求項１ないし請求項６の何れか１項に記載の車両用パッド部材の取付構造。
【発明の詳細な説明】
【技術分野】
【０００１】
本発明は、車両用パッド部材の取付構造に関し、特に、車両のサイドレールに固定され、頭部衝突のエネルギーを吸収する機能とエアバッグの膨出を案内する機能とを併せ持つ車両用パッド部材の取付構造に関する。
【背景技術】
【０００２】
自動車等の車両において、車体パネルと内装パネル（例えば、センターピラートリム等）との間に、衝突時のエネルギーを吸収するパッド部材を設けることが知られている。また、車両側面窓上方にエアバッグ装置（カーテンエアバッグ）を備えた車両においては、エアバッグの膨出を案内するガイド部材を設けることが知られている。
【０００３】
例えば、特許文献１には、頭部衝突時には変形して衝突エネルギーを吸収すると共に、エアバッグ膨出時には該エアバッグを案内する金属板成形部材が開示されている。該金属板成形部材は、車室内に向かって斜め下方に傾斜して延びる発射傾斜路のような傾斜面を有し、該傾斜面が衝突によって膨らむエアバッグを車室内へと案内する。この金属板成形部材は、車体の屋根枠区域（サイドレール）に溶接されている。
【０００４】
また、特許文献２には、ルーフレールインフォースメントとルーフサイドレールとを連結して強度を高めるコーナガゼットに、カーテンエアバッグを所定方向に膨張、展開させるガイド部を形成することが開示されている。このガイド部は、コーナーガゼットの下方から延設され、車室内側に向けて傾斜面を構成している。ガイド部を有するコーナーガゼットは、ボルトによって、車体の一部分であるルーフインフォースメント及びルーフサイドレールに固定されている。
【０００５】
また一般に、車両の内装パネル等の取付構造として、合成樹脂製のクリップを用いることが知られている。例えば、特許文献３には、車両パネルの取付孔に挿入される錨状または笠形状のパネル係止部が形成された可撓性を有するクリップを用いて、ハーネス用プロテクタを車体パネルに取り付ける構造が開示されている。同文献記載の取付構造では、ハーネス用プロテクタにクリップホルダを設け、該クリップホルダに前記クリップをスライド挿入している。尚、クリップホルダの基壁及びクリップの座部には、クリップ外れ防止用の係止部が形成されている。
【０００６】
また、特許文献４には、合成樹脂製のクリップ及び台座を用いて、ドアトリムをドア本体のインナーパネルに取り付ける構造が開示されている。前記台座には、一端が開放する支持スリットが形成され、該支持スリットにクリップの首部が挿入される。また、前記支持スリットにクリップの首部よりも幅が狭い挿通抵抗部を形成すると共に、挿入口にクリップの鍔部と係合する爪部を形成し、クリップの脱落を防止している。
【先行技術文献】
【特許文献】
【０００７】
【特許文献１】特開２０００−２５５３６７号公報（第３頁、第２図）
【特許文献２】特開２００９−５６８７３号公報（第５−６頁、第３図）
【特許文献３】特開２００２−１５５２６１号公報（第３−５頁、第１図）
【特許文献４】特開２００２−１１４１５１号公報（第３−５頁、第４図）
【発明の概要】
【発明が解決しようとする課題】
【０００８】
しかしながら、上記した従来技術では、衝突変形時のエネルギー吸収性能とエアバッグ膨出時のガイド性能とを両立させると共に組み立て作業性を向上させる観点から改善の余地があった。
【０００９】
具体的には、溶接やボルト締結は、パッド部材と車体とを強固に固定することができるので、エアバッグによる押圧力に耐え、エアバッグを適切にガイドする観点からは好ましい。その反面、パッド部材と車体とが強く結合されるので、パッド部材の変形が制限され、パッド部材のエネルギー吸収性能が低下する傾向にある。そのため、パッド部材の車体との接合部以外の部分で十分な変形量と衝突エネルギー吸収量を確保する必要がある。
【００１０】
また、溶接やボルト締結は、溶接工具や締結工具等を考慮した作業スペースを確保する必要があるので、作業スペースを確保できない形状の場合には、採用が難しい。また、溶接の場合には、パッド部材の材質も限定される。
【００１１】
他方、樹脂製のクリップ等を用いてパッド部材を取り付ける構造では、当該クリップ部分がエアバッグの膨出荷重に耐えられず、クリップが折れたり、外れたりする恐れがある。パッド部材のクリップ接合が外れると、エアバッグの膨出を適切な方向にガイドする機能が損なわれてしまう。
【００１２】
また、合成樹脂製のグロメットにピン等を挿入することにより該グロメットを拡径して固定する、いわゆるツーピースクリップを採用することにより、接合部の強度を高めることができる。しかしながら、クリップの接合強度を上げてエアバッグ膨出時の耐荷重性を高めると、前述の溶接やボルトを採用する場合と同様に、パッド部材の変形が制限されエネルギー吸収性能が低下するという問題点がある。
【００１３】
また、ツーピースクリップを採用すると、部品点数が増加し、クリップを取り付ける作業の工程数が増加するという問題点がある。そのため、組み立て作業の効率が低下してしまう。
【００１４】
本発明は、上記の事情に鑑みてなされたものであり、衝突エネルギー吸収性能とエアバッグ案内機能とを両立でき、且つ組み立て作業性に優れた車両用パッド部材の取付構造を提供することを目的とする。
【課題を解決するための手段】
【００１５】
本発明の車両用パッド部材の取付構造は、エアバッグの膨出を下方から案内する案内部を有する車両用パッド部材を、クリップを用いて車両のサイドレールに取り付ける構造であって、前記車両用パッド部材は、前記案内部の前記サイドレール側の端部から該サイドレールに沿って上方に延設されるフランジ部と、前記フランジ部に形成されて前記クリップが装着される装着孔と、前記装着孔につながり該装着孔を下方に開口させる開口部と、を有し、前記クリップは、前記開口部を通過して前記フランジ部の下方から前記装着孔に装着されて前記サイドレールに形成された取付孔に挿入されるグロメットと、該グロメットのピン孔に挿入され該グロメットを拡径して前記取付孔に係合させるピンと、を有することを特徴とする。
【発明の効果】
【００１６】
本発明の車両用パッド部材の取付構造によれば、クリップを装着する装着孔につながり該装着孔を下方に開口させる開口部を有する。これにより、頭部衝突時に前記クリップが前記開口部を通過してフランジ部が上方に移動することが許容され、車両用パッド部材の変形量とエネルギー吸収量を大きく確保することができる。
【００１７】
また、エアバッグ膨出時には、前記クリップは、前記開口部を通過せず、前記フランジ部を支持して該フランジ部の移動を抑える。これにより、車両用パッド部材の案内部は、膨出するエアバッグを好適に案内することができる。
【００１８】
また、前記クリップは、グロメットと、該グロメットを拡径してサイドレールの取付孔に係合させるピンと、を有する。これにより、クリップによる結合力を高め、エアバッグ膨出時の耐荷重性を向上させることができる。
【００１９】
また、前記開口部には、グロメットの係止部の外径より開口幅が小さい挿通抵抗部が形成される。これにより、装着孔へ仮装着したクリップが下方に脱落することを防止でき、組み立て作業の効率を向上させることができる。
【００２０】
また、車両用パッド部材は、装着孔に装着された状態のグロメットに車内側から当接する当接部を有する。これにより、装着孔へ仮装着したクリップが傾いたり、車内側に抜け落ちたりすることを防止でき、作業性が更に向上する。
【００２１】
また、グロメットの座部の端面に係止突起を形成すると共にフランジ部に係止受部を形成し、前記係止受部の当接部で前記係止突起を支えても良い。これにより、仮装着されたクリップを支持する機能を更に高めることができる。
【００２２】
また、グロメットにピンを仮挿入した状態のクリップを装着孔に仮装着してから、そのクリップ付き車両用パッド部材をサイドレールに取り付けても良い。これにより、車両用パッド部材を取り付ける作業が容易になり、生産性が向上する。
【００２３】
また更に、前記案内部に当接して該案内部を下方から支える押さえ部材を設けても良い。これにより、エアバッグ膨出時の耐荷重性を更に高め、エアバッグを案内する機能を好適に維持することができる。
【００２４】
また、前記押さえ部材を前記案内部から分離可能に構成しても良い。これにより、前記押さえ部材は、車両用パッド部材の案内部及びフランジ部が頭部衝突時に上方へと変形することを阻害せず、エネルギー吸収性能を更に高めることができる。
【図面の簡単な説明】
【００２５】
【図１】本発明の実施形態に係るサイドレールパッドを備えた車両を示す斜視図である。
【図２】同上、サイドレールパッドの取付構造を示す分解斜視図である。
【図３】本発明の実施形態に係るサイドレールパッドの斜視図である。
【図４】同上、取付構造を示す断面図（図３のＺ−Ｚ線断面に相当）である。
【図５】同上、取付構造を示す分解斜視図である。
【図６】同上、係止受部を示す斜視図である。
【図７】同上、取り付け工程を示す断面図（図４と同一断面）である。
【図８】同上、衝突エネルギーの吸収を示す断面図（図４と同一断面）である。
【図９】同上、エアバッグの案内を示す断面図（図４と同一断面）である。
【図１０】本発明の他の実施形態を示す断面図（図４の断面に相当）である。
【発明を実施するための形態】
【００２６】
以下、本発明の実施形態に係るサイドレールパッド１０（車両用パッド部材）の取付構造を図面に基づき詳細に説明する。
【００２７】
図１は、サイドレールパッド１０を備えた車両１の車室内を示す斜視図である。図１は、車室内の右側を前方斜め上から見た状態を示しており、図１において、紙面左斜め下方向が車両の前方、紙面左斜め上方向が車室外方向（車両１の右側）である。
【００２８】
サイドレールパッド１０は、図１に鎖線円Ｘで示すように、座席９の横に位置するセンターピラ７の上部、且つエアバッグ５の下方に設けられる。サイドレールパッド１０は、例えば、射出成形された合成樹脂等から成り、サイドレール２に固定されて、頭部衝突のエネルギーを吸収する機能とエアバッグ５の膨出を案内する機能とを併せ持つ。
【００２９】
図２は、サイドレールパッド１０の取付構造を示す分解斜視図であり、図１の鎖線円Ｘ付近を拡大して表している。図２に示すように、サイドレール２は、車両１の前後方向に延在し、ルーフパネル６の左右両側に一対（図２においては、右側のみ現れる。）設けられる。
【００３０】
前述の通り、サイドレール２の車室内側には、サイドレールパッド１０が配設される。具体的には、サイドレールパッド１０は、サイドレール２に形成された取付孔３に、クリップ３０を用いて固定される。
【００３１】
また、サイドレールパッド１０の車室内側には、図示しない内装パネル（ルーフサイドトリム、センターピラートリム等）が取り付けられる。
【００３２】
図３は、車両１の右側に設けられるサイドレールパッド１０の上部を車内前方斜め上から見た斜視図である。図３において、紙面左斜め下方向が車両の前方、紙面右斜め下方向が車室内方向（車幅方向内側）である。
【００３３】
図３に示すように、サイドレールパッド１０は、上部付近が車内側に突設されており、その上面は、膨出するエアバッグ５（図１参照）を車室内方向へと案内する案内部１１を構成している。
【００３４】
案内部１１の車外側の端部からは、サイドレールパッド１０をサイドレール２（図２参照）に取り付けるためのフランジ部１２が、上方に向かって延設されている。そして、フランジ部１２には、このフランジ部１２を車幅方向に貫通する装着孔１４が形成されている。サイドレールパッド１０は、装着孔１４に挿入されるクリップ３０（図４参照）によってサイドレール２に固定される。
【００３５】
このクリップ３０による固定箇所（装着孔１４等）は１か所でも良いが、本実施形態では、２か所の固定箇所を設けている。このように、複数箇所を固定することにより、エアバッグ５（図１参照）による荷重を複数の固定箇所で分散して受けることができる。また、サイドレールパッド１０が回転してしまうことを防止できる。
【００３６】
以下、図３に鎖線円Ｙで示す一の固定箇所を例として、サイドレールパッド１０の取付構造を詳細に説明する。尚、複数箇所を固定する場合には、各々の固定箇所について同様の固定方法を採用することができる。
【００３７】
図４は、サイドレールパッド１０の取付構造を示す断面図であり、図３のＺ−Ｚ線断面に相当し、装着孔１４の中心軸を含む鉛直断面を表している。図４において、紙面右側が車室内方向、紙面左側が車外方向である。
【００３８】
図４に示すように、サイドレールパッド１０は、エアバッグ５の下方に配置され、該エアバッグ５の膨出を案内する案内部１１を有する。案内部１１の上面である案内面１１ａは、車室内側に向かって斜め下方に傾斜している。案内部１１の車外側端部から折れ曲がるように立設されるフランジ部１２は、サイドレール２に沿って上方に延在する。
【００３９】
前述の通り、フランジ部１２には、装着孔１４が形成されている。装着孔１４には、グロメット３１及びピン３２から構成されるクリップ３０が挿通される。そして更に、装着孔１４に装着されたクリップ３０は、サイドレール２に形成された取付孔３にも挿入される。このように、サイドレールパッド１０とサイドレール２とは、クリップ３０によって固定される。
【００４０】
図５は、サイドレールパッド１０の取付構造を示す分解斜視図であり、図３に示す鎖線円Ｙ付近の拡大図に相当する。
【００４１】
図５に示すように、クリップ３０のグロメット３１は、略四角形平板状の座部３４と、座部３４の一主面３４ａ（紙面に表れない裏面）から立設される係止部３３と、を有する。
【００４２】
座部３４は、クリップ３０でサイドレールパッド１０を固定する際にフランジ部１２を車内側から押さえる部分である。座部３４の一主面３４ａは、グロメット３１を装着孔１４に装着した状態で、フランジ部１２の車内側の面に当接する。具体的には、座部３４の一主面３４ａは、グロメット装着面１３に当接する。
【００４３】
係止部３３は、サイドレールパッド１０の装着孔１４及びサイドレール２（図２参照）の取付孔３（図２参照）に挿入され、両者を固定する部分である。係止部３３の中心軸付近には、この中心軸に沿って係止部３３及び座部３４を貫通するピン孔３７か形成されている。
【００４４】
ピン孔３７の内径は、ピン３２の外径より僅かに小さく形成されている。これにより、ピン孔３７にピン３２を挿入することで係止部３３が径方向に拡がり、係止部３３を装着孔１４及び取付孔３に係合させることができる。尚、ピン３２は、座部３４の一主面３４ａの反対側となる他の主面３４ｂ側から、挿入されるよう構成されている。
【００４５】
ここで、係止部３３に、軸方向に延在するスリット３５を形成し、係止部３３の先端側を分割可能に構成しても良い。これにより、ピン３２を挿入した際の係止部３３の拡がりが大きくなり、クリップ３０による支持力を高めることができる。また、係止部３３の側面に係合力を高めるための突起（例えば、笠形状の鍔等）を形成しても良い。
【００４６】
サイドレールパッド１０に形成されたフランジ部１２の車内側には、グロメット装着面１３が形成されている。そして、フランジ部１２のグロメット装着面１３には、車幅方向に貫通する装着孔１４が形成されている。
【００４７】
装着孔１４は、下方、即ちエアバッグ５（図４参照）に対して反対側となる方向が開口している。具体的には、装着孔１４の下部には、この装着孔１４につながる開口である開口部１５が形成されている。これにより、この開口部１５を通過させて、グロメット３１の係止部３３をフランジ部１２の下方から装着孔１４に装着することができる。
【００４８】
また、開口部１５には、グロメット３１の係止部３３の外径より開口幅が僅かに小さい挿通抵抗部１６が形成されている。これにより、サイドレールパッド１０を取り付ける作業において、装着孔１４に仮装着したクリップ３０の脱落を防止できる。
【００４９】
即ち、クリップ３０を装着孔１４に装着する際は、クリップ３０を押し込むことにより、係止部３３及び挿通抵抗部１６が弾性変形し、係止部３３の通過が許容される。他方、クリップ３０が装着された後は、挿通抵抗部１６が係止部３３の通過を妨げるので、クリップ３０が下方に脱落することを防止できる。
【００５０】
また、フランジ部１２の下端付近（案内部１１の車外側端部付近）には、開口部１５につながり車内側に広がる座部挿通部１７が形成されている。座部挿通部１７は、上下方向に貫通しており、座部３４をフランジ部１２の下方からこのフランジ部１２の車内側へと挿通させる開口である。
【００５１】
また、座部挿通部１７の車内側には、この座部挿通部１７につながり更に車内側に広げられた開口であるピン挿通部１８が形成されている。ピン挿通部１８は、グロメット３１に仮挿入されたピン３２を通過させる開口である。
【００５２】
ここで、グロメット３１を装着孔１４に装着した状態において、座部３４の車内側の主面３４ｂ（他の主面３４ｂ）の少なくとも一部分は、座部挿通部１７を構成する周囲面の少なくとも一部分に当接する。具体的には、座部挿通部１７の車内側の周囲面には、ハッチングで示す当接部１７ａが形成され、当接部１７ａは、座部３４の主面３４ｂの下端付近両側のハッチングで示す当接箇所３４ｃに当接する。
【００５３】
これにより、座部挿通部１７の当接部１７ａで座部３４の車内側の当接箇所３４ｃを支えるので、サイドレールパッド１０を取り付ける作業において、装着孔１４に仮装着したクリップ３０が車内側に脱落してしまうことを防止できる。
【００５４】
また、座部３４の上端面には、爪形状の係止突起４０が形成されている。係止突起４０は、装着孔１４の上方のフランジ部１２に形成された係止受部２０に挿入される。
【００５５】
図６は、係止受部２０を説明する斜視図であり、装着孔１４付近を斜め下方から見た状態を表している。図６において、紙面上方向が車内側であり、紙面右斜め下方が下方向である。
【００５６】
図６に示すように、係止受部２０は、フランジ部１２のグロメット装着面１３を形成する凹部の上方周囲壁１９に形成された下方に向かって開口する凹部または貫通孔である。係止受部２０を構成する周囲面の車内側には当接部２０ａが形成されている。
【００５７】
再び図５を参照して説明すると、グロメット３１を装着孔１４に装着した際に、座部３４に形成された係止突起４０は、フランジ部１２に形成された係止受部２０に嵌入される。そして、係止突起４０の車内側の当接面４０ａの少なくとも一部分は、係止受部２０に形成された当接部２０ａに当接する。
【００５８】
これにより、係止受部２０の当接部２０ａで係止突起４０の車内側の当接面４０ａを支えるので、サイドレールパッド１０を取り付ける作業において、装着孔１４に仮装着したクリップ３０が車内側に脱落してしまうことを防止できる。
【００５９】
また更に、係止受部２０の当接部２０ａによる係止突起４０の支持と、前述の座部挿通部１７の当接部１７ａによる当接箇所３４ｃの支持と、を併せることにより、クリップ３０の傾きを抑えることができる。これにより、クリップ３０の係止部３３をサイドレール２（図２参照）の取付孔３（図２参照）に挿入する作業の効率を高めることができる。
【００６０】
尚、当接部１７ａ、２０ａに代えて或いは追加して、サイドレールパッド１０に、グロメット３１のその他の部分へ車内側から当接する当接部を形成しても良い。また、当接部１７ａに当接する当接箇所３４ｃを凸形状に形成しても良い。これにより、クリップ３０を装着孔１４に挿入する作業が容易になると共に、当接部１７ａによる押圧力を増すことができる。
【００６１】
次に、図７及び図４ないし図５を参照して、サイドレールパッド１０の取り付け作業工程を説明する。尚、図７は、取り付け工程の一部を説明する断面図であり、図４と同一の断面を表している。
【００６２】
先ず、図５に矢印Ａで示すように、グロメット３１のピン孔３７にピン３２を仮挿入して、クリップ３０を仮組みする。ここでは、ピン３２を最奥まで挿入せず、係止部３３は、拡径されない。
【００６３】
次に、矢印Ｂで示すように、仮組みされたクリップ３０をフランジ部１２の下方から装着孔１４に仮装着する。具体的には、グロメット３１の係止部３３は、開口部１５を通過させ、座部３４は、座部挿通部１７を通過させ、仮挿入されたピン３２は、ピン挿通部１８を通過させる。
【００６４】
ここで、開口部１５に形成された挿通抵抗部１６の幅は、係止部３３の外径よりも僅かに小さいので、仮装着されたクリップ３０は、下方に脱落しない。また、座部３４の車内側の主面３４ｂ（当接箇所３４ｃ）が座部挿通部１７の当接部１７ａに当接し、係止突起４０の車内側の当接面４０ａが係止受部２０の当接部２０ａに当接するので、仮装着されたクリップ３０は、車内側にも脱落しない。
【００６５】
次に、図７に矢印Ｃで示すように、クリップ３０が仮装着された状態のサイドレールパッド１０をサイドレール２に取り付ける。具体的には、グロメット３１の係止部３３をサイドレール２の取付孔３に挿入する。
【００６６】
ここで、前述の通り、仮装着されたクリップ３０は、当接部１７ａ及び当接部２０ａによって各々当接支持されているので、車内側（破線矢印Ｃ２）に脱落しない。また、クリップ３０の傾きやズレも抑えられ、挿入作業を容易に行うことができる。
【００６７】
そして最後に、矢印Ｄで示すように、仮挿入されたピン３２を最奥まで押し込む。これにより、図４に示すように、グロメット３１の係止部３３が径方向に拡げられ、この係止部３３が取付孔３及び装着孔１４に係合固定される。その結果、サイドレールパッド１０がサイドレール２に固定される。
【００６８】
以上説明のように、本実施形態では、クリップ３０をサイドレールパッド１０に予め仮装着し、その仮装着されたクリップ３０の脱落やズレを防止しつつ、効率良く、サイドレールパッド１０をサイドレール２に取り付けることができる。
【００６９】
次に、図８を参照して、サイドレールパッド１０による衝突エネルギーの吸収について詳細に説明する。図８は、衝突エネルギーの吸収を説明する断面図であり、図４と同一断面を表している。図８において、衝突時の変形したサイドレールパッド１０を実線で示し、衝突前（変形前）のサイドレールパッド１０ｘを鎖線で示している。
【００７０】
図８に矢印Ｆで示すように、例えば、乗員の頭部等が室内側から衝突し、サイドレールパッド１０に衝撃荷重が作用した際、サイドレールパッド１０は、車幅方向に潰されるように変形し、衝突のエネルギーを吸収する。
【００７１】
特に、本実施形態では、矢印Ｂ１で示すように、フランジ部１２が上方にスライド可能であることが特徴である。即ち、クリップ３０が装着されている装着孔１４は、開口部１５につながって下方に開口しているので、クリップ３０から外れて上方に移動することができる。
【００７２】
つまり、衝突時には、クリップ３０のグロメット３１と装着孔１４との係合が外れるので、クリップ３０はサイドレール２の取付孔３に挿入されたまま移動しなくても、フランジ部１２のみがサイドレール２に沿って上方に移動する。
【００７３】
ここで、前述の通り、開口部１５には、仮装着したクリップ３０の脱落を防止する挿通抵抗部１６が形成されている。しかし、衝突時の衝撃荷重が作用すれば、クリップ３０及び挿通抵抗部１６が弾性変形し、クリップ３０のグロメット３１は、挿通抵抗部１６を通過することができる。
【００７４】
このように、室内衝突時には、フランジ部１２が上方にスライド可能であるので、サイドレールパッド１０の変形量及びエネルギー吸収量を大きく確保することできる。これにより、サイドレールパッド１０は、優れた衝突エネルギー吸収性能を発揮する。
【００７５】
次に、図９を参照して、サイドレールパッド１０によるエアバッグ５の案内について詳細に説明する。図９は、エアバッグ５の案内を説明する断面図であり、図４と同一断面を表している。
【００７６】
図示しない衝突センサ等が車両１の衝突を検知すると、図９に矢印Ｐで示すように、エアバッグ５が下方に膨出、展開する（エアバッグ５ｘは、膨出する過程におけるエアバッグ５のイメージを表している）。
【００７７】
この時、下方に勢い良く膨らむエアバッグ５ｘは、サイドレールパッド１０の案内部１１に衝突し、この案内部１１を下方に押す。換言すれば、案内部１１は、膨出するエアバッグ５ｘによる押圧荷重を受ける。
【００７８】
このエアバッグ５ｘによる荷重は、フランジ部１２に伝達され、クリップ３０を下方（破線矢印Ｂ２の方向）に押圧するよう作用する。具体的には、装着孔１４の上部面が、グロメット３１の上部面に強く当接し、このグロメット３１を下方に押圧する。
【００７９】
ここで、装着孔１４につながる開口部１５は、装着孔１４の下方に開口しているので、上記のようにフランジ部１２からクリップ３０を下方に押すような荷重が作用しても、クリップ３０が開口部１５を通過して外れることはない。
【００８０】
つまり、エアバッグ５が膨らむ際、その膨出するエアバッグ５ｘの荷重によってクリップ３０が開口部１５を通過して装着孔１４から外れることはなく、サイドレールパッド１０のフランジ部１２は、破線矢印Ｂ２の方向に移動しない。
【００８１】
また、本実施形態では、グロメット３１とピン３２とを用いたクリップ３０を採用しているので、一体成形されたクリップに比べ、締め代を大きく確保できる。これにより、クリップ３０は、優れた引抜耐力を発揮する。また、ピン３２の材料を適切に選択することにより、クリップ３０の装着作業性能を低下させずに、クリップ３０の抗折力を高めることができる。
【００８２】
以上のように、本実施形態の取付構造は、エアバッグ５の膨出荷重に耐え得る高い結合強度を発揮する。これにより、エアバッグ５が膨出する際、サイドレールパッド１０がサイドレール２から外れて大きく変形することを防止できる。その結果、案内部１１の案内面１１ａによって、膨出するエアバッグ５ｘを車室内方向へと適切に案内することができる。
【００８３】
次に、図１０を参照して、実施形態を変形した例について詳細に説明する。図１０は、本発明の実施形態の変形例を示す断面図であり、図４の断面に相当する断面を表している。尚、既に説明した実施形態と同一若しくは同様の作用、効果を奏する構成要素については、同一の符号を付し、その説明を省略する。
【００８４】
本実施形態では、案内部１１を下方から支える押さえ部材としての緩衝部材２５を備えている。緩衝部材２５は、例えば、ポリプロピレン等の合成樹脂材料からなる発泡部材であり、衝突時のエネルギーを吸収して、その衝撃を和らげると共に、案内部１１を下方から支える機能を有する。
【００８５】
緩衝部材２５は、その上面２６が、案内部１１の案内面１１ａの反対側になる面１１ｂに当接可能に配設される。これにより、緩衝部材２５は、エアバッグ５が膨出する際の押圧荷重を受け、案内部１１を下方から支えることができる。
【００８６】
このように、緩衝部材２５で案内部１１を下方から支えることにより、クリップ３０に作用する荷重を低減することができ、クリップ３０の折れや外れを防止することができる。これにより、サイドレールパッド１０のフランジ部１２が、破線矢印Ｂ２のように、下方に脱落することを防止できる。
【００８７】
また、緩衝部材２５は、案内部１１を下方から支持するので、エアバッグ５が膨出する際の案内面１１ａの変形を抑えることができる。このように、緩衝部材２５を設けることにより、エアバッグ５膨出時の耐荷重性を更に高めることができ、案内部１１によるエアバッグ５の案内機能を好適に維持することができる。
【００８８】
また、緩衝部材２５の車室内側には、緩衝部材２５とサイドレールパッド１０との間に空間２９が形成されている。即ち、緩衝部材２５は、上面２６及び下面２７がサイドレールパッド１０に当接し、車室内側の側面２８はサイドレールパッド１０と当接せずに空間２９を残して配設される。これにより、頭部衝突時にサイドレールパッド１０の変形が許容され、衝突エネルギーを効果的に吸収することができる。
【００８９】
また、緩衝部材２５は、案内部１１と分離可能に設けられる。即ち、緩衝部材２５は、案内部１１に接着等されずに、または接着等されても容易に剥離できるよう設けられる。また、緩衝部材２５の上面２６若しくは下面２７の何れか一方のみをサイドレールパッド１０に接着し、他方をサイドレールパッド１０から分離可能に設けても良い。
【００９０】
これにより、頭部衝突の際、サイドレールパッド１０は、緩衝部材２５に妨げられることなく、図８を参照して説明したように変形することができる。具体的には、サイドレールパッド１０のフランジ部１２及び案内部１１は、緩衝部材２５から離れて上方に移動変形する。これにより、サイドレールパッド１０の衝突エネルギー吸収性能を好適に維持できる。
【００９１】
また、緩衝部材２５は、頭部衝突時に車幅方向に潰され、衝突エネルギーを吸収する機能を発揮する。これにより、衝突エネルギー吸収性能を更に高めることができる。
【００９２】
本発明は、上記実施形態に限定されるものではなく、その他、本発明の要旨を逸脱しない範囲で、種々の変更実施が可能である。
【符号の説明】
【００９３】
１        車両
２        サイドレール
３        取付孔
５、５ｘ  エアバッグ
６        ルーフパネル
７        センターピラ
９        座席
１０      サイドレールパッド
１０ｘ    サイドレールパッド
１１      案内部
１１ａ    案内面
１１ｂ    面
１２      フランジ部
１３      グロメット装着面
１４      装着孔
１５      開口部
１６      挿通抵抗部
１７      座部挿通部
１７ａ    当接部
１８      ピン挿通部
１９      上方周囲壁
２０      係止受部
２０ａ    当接部
２５      緩衝部材
２６      上面
２７      下面
２８      側面
２９      空間
３０      クリップ
３１      グロメット
３２      ピン
３３      係止部
３４      座部
３４ａ    一主面
３４ｂ    他の主面
３４ｃ    当接箇所
３５      スリット
３７      ピン孔
４０      係止突起
４０ａ    当接面
【図１】
2015137072.tif 000003
【図２】
2015137072.tif 000004
【図３】
2015137072.tif 000005
【図４】
2015137072.tif 000006
【図５】
2015137072.tif 000007
【図６】
2015137072.tif 000008
【図７】
2015137072.tif 000009
【図８】
2015137072.tif 000010
【図９】
2015137072.tif 000011
【図１０】
2015137072.tif 000012